(57)【要約】  本開示の吸収性物品は、第１ベルトウェブ及び第２ベルトウェブと、第１締結要素及び第２締結要素を備える締結タブ部材と、第１結合締結要素及び第２結合締結要素と、第１ベルトウェブ及び第２ベルトウェブを直接的に又は再締結可能に接合する、横方向に対向する永久サイドシームとを備えることができる。締結タブ部材は、第１締結要素及び第２締結要素に接合することができる。吸収性物品は、再締結可能な閉じた形態でパッケージ化することができる。
2015520005.tif 000002
【特許請求の範囲】
【請求項１】
吸収性物品であって、
第１ベルトウェブと、
第２ベルトウェブと、
締結タブ部材と、
第１締結要素及び第２締結要素と、
第１結合締結要素及び第２結合締結要素と、
前記第１ベルトウェブ及び前記第２ベルトウェブを直接的に又は再締結可能に接合する、横方向に対向する永久サイドシームと、を備えており、
前記締結タブ部材は、前記第１ベルトウェブ及び前記第２ベルトウェブのうちの一方に直接的に接合され、
前記締結タブ部材は、前記第１締結要素及び前記第２締結要素に接合され、
前記物品は、再締結可能な閉じた形態でパッケージ化される、物品。
【請求項２】
前記締結タブ部材が、前記第１ベルトウェブ及び前記第２ベルトウェブのうちの一方に永久的に接合される、請求項１に記載の物品。
【請求項３】
前記締結タブ部材が、前記第１締結要素及び前記第２締結要素に永久的に接合される、請求項１に記載の物品。
【請求項４】
前記締結タブ部材が、前記第１締結要素及び前記第２締結要素に再締結可能に接合される、請求項１に記載の物品。
【請求項５】
前記締結タブ部材が、前記第１ベルトウェブに直接的にかつ永久的に接合されるが、前記第２ベルトウェブに直接的にかつ永久的に接合されない、請求項１に記載の物品。
【請求項６】
前記締結タブ部材が、前記第１ベルトウェブ及び前記第２ベルトウェブに直接的にかつ永久的に接合される、請求項１に記載の物品。
【請求項７】
前記締結タブ部材が、前記第１ベルトウェブ及び前記第２ベルトウェブに再締結可能に接合される、請求項１に記載の物品。
【請求項８】
前記永久サイドシームが、前記第１ベルトウェブ及び前記第２ベルトウェブ並びに前記締結タブ部材を包含する、請求項１に記載の物品。
【請求項９】
前記第１ベルトウェブ及び前記第２ベルトウェブが、引き裂き線を備えている、請求項８に記載の物品。
【請求項１０】
第２の別個の締結タブ部材並びに第３締結要素及び第４締結要素を更に備えている、請求項１に記載の物品。
【請求項１１】
前記第１締結タブ部材及び前記第２締結タブ部材が、前記第１締結要素、第２締結要素、第３締結要素、及び前記第４締結要素によって、前記第１ベルトウェブ及び前記第２ベルトウェブに再締結可能に接合される、請求項１０に記載の物品。
【請求項１２】
前記第１締結要素及び前記第２締結要素が、フック及びループである、請求項１〜１１のいずれか一項に記載の物品。
【請求項１３】
前記締結タブ部材が折り畳まれない、請求項１〜１２のいずれか一項に記載の物品。
【請求項１４】
前記第１締結要素及び前記第２締結要素が折り畳まれない、請求項１〜１３のいずれか一項に記載の物品。
【請求項１５】
締結構成要素が前記締結タブ部材並びに前記第１締結要素及び前記第２締結要素を備えており、前記締結構成要素が再締結可能な重なり合うシームを形成する、請求項１〜１４のいずれか一項に記載の物品。
【発明の詳細な説明】
【背景技術】
【０００１】
現在、使い捨て吸収性パンツは、まだトイレトレーニングされていない幼児、幼年期夜尿症を有するより年齢が高い小児、及び失禁症を患う成人が着用するものとして製造及び販売されている。使い捨て吸収性パンツは、通常、着用者に面する液体透過性トップシートと、外側すなわち衣類に面する側の液体不透過性バックシートとの間に包まれている吸収材で形成されたコアを有する中央シャーシを含む。シャーシは、通常、前部端部及び後部端部がそれぞれ着用者のウエストラインの前部及び後部に向かって延びるように、下部胴体の周囲で着用者の脚部の間を上向きに包むように、着用者に位置づけられるように適合される。シャーシは、通常、一対の伸縮要素と接合されており、それら伸縮要素のそれぞれがシャーシの前部区域と後部区域とをその両側で接続して、パンツ構造を形成する。現在の多くの設計において、伸縮要素は、着用を容易にする一方で、一旦着用すると比較的ぴったりとした快適なフィット感を提供する伸縮性を提供し、横方向に弾性的に延伸することができるように製造される。
【０００２】
一構成では、伸縮性ベルトが着用者の腰部を完全に取り巻いて、パンツの全周に腰部縁部を形成する。中央シャーシは、その両端が伸縮性ベルトの腰部縁部のいくらか下で前部腰部区域及び後部腰部区域の場所に配設されるようにして、伸縮性ベルトに（通常はその内側に）接合することができる。この構成は、「ベルト」又は「バルーン」構成（以下、「ベルト」構成と呼ぶ）として知られている場合がある。この型式の構成の例は、現在、Ｔｈｅ  Ｐｒｏｃｔｅｒ  ＆  Ｇａｍｂｌｅ  ＣｏｍｐａｎｙのＰＡＭＰＥＲＳ商標により、及びまたＵｎｉｃｈａｒｍ  ＣｏｒｐｏｒａｔｉｏｎのＭＡＭＹ  ＰＯＫＯ商標によりアジアで製造及び販売されている。
【０００３】
どちらの構成もそれぞれに長所を有しているが、状況によっては、ベルト構成が望ましいとみなされることがある。その他の長所としては、横方向に弾性的に延伸可能に周囲ベルトを作ることができることにより、着用者の腰部周囲全体にかなりの弾性的伸縮性がもたらされ、目標とする弾性特性が提供され得ることである。
【０００４】
使い易さという目的のためには、ベルト状構造物を容易に繰り返し開閉できるようにパンツが再締結可能な特徴を有していることが望ましい場合がある。これは、ベルト状構造物、中央シャーシ、物品の他の要素、及び／又はそれらの組み合わせの一部として吸収性物品の構造物に、例えば機械的締結要素を組み入れることにより実現することができる。再締結可能な特徴は、脚開口及び腰部開口を維持及び／又は確立するのを助けることができる。現在製造されているベルト構成のパンツのいくつかは再締結可能な特徴を含んでいるが、それらは、特に高い生産速度では複雑過ぎて生産できない、また複雑すぎて使用できないとみなされる場合がある。更に、いくつかは、粗い又は未完成の外観を有するとみなされる場合がある。
【発明の概要】
【課題を解決するための手段】
【０００５】
したがって、本開示は、高速でより高い生産性を有する、再締結可能な特徴を形成するための締結構成要素を備えたベルト構成を有する使い捨て吸収性パンツの構造設計及び製造プロセスの改善を明らかにする。
【図面の簡単な説明】
【０００６】
【図１】使い捨て吸収性パンツの簡略化した斜視図である。
【図２】使い捨て吸収性パンツの前駆構造物の簡略化した平面図であり、内側すなわち着用者に面する表面が上向きで示されている。
【図３Ａ】可能な構成の一例としての、図２の線３−３を通じて取られる簡略化した概略断面図である。
【図３Ｂ】可能な構成の別の例としての、図２の線３−３を通じて取られる簡略化した概略断面図である。
【図３Ｃ】可能な構成の別の例としての、図２の線３−３を通じて取られる簡略化した概略断面図である。
【図４Ａ】可能な構成の様々な例としての、図２の線４−４を通じて取られる簡略化した概略断面図である。
【図４Ｂ】可能な構成の様々な例としての、図２の線４−４を通じて取られる簡略化した概略断面図である。
【図４Ｃ】可能な構成の様々な例としての、図２の線４−４を通じて取られる簡略化した概略断面図である。
【図４Ｄ】可能な構成の様々な例としての、図２の線４−４を通じて取られる簡略化した概略断面図である。
【図４Ｅ】可能な構成の様々な例としての、図２の線４−４を通じて取られる簡略化した概略断面図である。
【図４Ｆ】可能な構成の様々な例としての、図２の線４−４を通じて取られる簡略化した概略断面図である。
【図４Ｇ】可能な構成の様々な例としての、図２の線４−４を通じて取られる簡略化した概略断面図である。
【図４Ｈ】可能な構成の様々な例としての、図２の線４−４を通じて取られる簡略化した概略断面図である。
【図４Ｉ】可能な構成の様々な例としての、図２の線４−４を通じて取られる簡略化した概略断面図である。
【図４Ｊ】可能な構成の様々な例としての、図２の線４−４を通じて取られる簡略化した概略断面図である。
【図４Ｋ】可能な構成の様々な例としての、図２の線４−４を通じて取られる簡略化した概略断面図である。
【図５Ａ】弾性部材が適用された不織布ウェブの一部の平面図である。
【図５Ｂ】横断方向図に沿って示される、積層体を製造するための設備及び構成要素の簡略化した概略図である。
【図６Ａ】切断線とともに示される、多層ウェブの一部の平面図である。
【図６Ｂ】代替構成における、切断線とともに示される、多層ウェブの一部の平面図である。
【図６Ｃ】図６Ａに示した多層ウェブの部分の平面図であり、中央部分が切り取られている。
【図６Ｄ】図６Ｂに示した多層ウェブの部分の平面図であり、中央部分が切り取られている。
【図６Ｅ】横断方向図に沿って示される、積層体を製造するための設備及び構成要素の簡略化した概略図である。
【図７】パンツ構造物を製造するための方法を図示する、多層ウェブ及び適用されたシャーシ構造物の平面図である。
【図８】２つの不織布層と、予め歪みを与えた弾性部材とを含む多層ウェブの一部の平面図であり、不織布層の弾性部材に沿ってシャーリングが形成されている。
【図９】図８の線９−９に沿った断面図である。
【図１０Ａ】図９の断面図と同様の断面図であるが、第３層を含んでおり、示されている例において、第３層は、伸縮性多層ウェブ構造内に含めること及び取り付けることができ、かつ、異なるパターンのシャーリングが付与され得る。
【図１０Ｂ】図９の断面図と同様の断面図であるが、第３層を含んでおり、示されている例において、第３層は、伸縮性多層ウェブ構造内に含めること及び取り付けることができ、かつ、異なるパターンのシャーリングが付与され得る。
【図１０Ｃ】図９の断面図と同様の断面図であるが、第３層を含んでおり、示されている例において、第３層は、伸縮性多層ウェブ構造内に含めること及び取り付けることができ、かつ、異なるパターンのシャーリングが付与され得る。
【図１１】使い捨て吸収性パンツの簡略化した斜視図である。
【図１２】締結構成要素を備える多層ウェブの部分の簡略化した概略断面図である。
【図１３】締結構成要素を備える多層ウェブの部分の簡略化した概略断面図である。
【図１４】締結構成要素を備える多層ウェブの部分の簡略化した概略断面図である。
【図１５】締結構成要素を備える多層ウェブの部分の簡略化した概略断面図である。
【図１６】締結構成要素を備える多層ウェブの部分の簡略化した概略断面図である。
【図１７】締結構成要素を備える多層ウェブの部分の簡略化した概略断面図である。
【発明を実施するための形態】
【０００７】
用語「締結構成要素」とは、再締結可能な取り付け領域を画定する締結要素を指す。締結構成要素は、締結構成要素が分離されるまで、腰部及び脚部開口を閉じた構成へと再構成するために、吸収性物品を再締結することを可能にする。締結構成要素は、１つ以上の再締結可能な締結要素、例えば、フック、ループ、球状部、キノコ型、矢尻、茎部上のボール部、ボタン、スナップ、再締結可能な粘着剤、選択的に再締結可能な接着剤などを含む場合がある。締結構成要素は、締結構成要素を損傷することなく、開放し、かつその後に確実に再閉鎖することができる。締結構成要素は、再締結可能なクロージャを形成する直接的な表面間接触により取り付け領域を形成する、締結システムの要素を含む。明確性の目的のために、表面間接触は、例えば、フック材料の表面とループ材料の表面との間の接触を含む。例えば、バックシートに接合されるタブ部材は、記載される締結材料には当たらない。締結構成要素は、タブに接合され、他の締結構成要素又は吸収性物品の一部と接続し得るフック又はループであってもよい。
【０００８】
用語「初期腰部開口周辺部」は、使い捨てトレーニングパンツがパッケージ内に配置されるとき、及びその後、これが消費者によってパッケージから取り出されるときの、使い捨てトレーニングパンツの腰部開口の周辺部を指す。
【０００９】
「横断方向」（ＣＤ）は、不織布ウェブ材料の作製、不織布材料自体、その積層体、又はその材料を構成要素とする物品に関して言う場合、材料及び／又は物品を製造する製造ラインを通る材料の進む移動方向にほぼ垂直の、材料に沿った方向を指す。
【００１０】
本明細書で使用されるとき、用語「弾性」又は「エラストマーの」は、実質的な破裂又は破損なしで、ヒステリシス試験に従って測定されたときに、伸長の１０％以下の硬化で、ヒステリシス試験において１００％の歪みまで延びることができる伸張可能な材料（又は複数の材料の複合体）の特性を指す。弾性材料は、弾性的に延伸性であるとみなされる。
【００１１】
「機械方向」（ＭＤ）は、不織布ウェブ材料の作製、不織布材料自体、その積層体、又はその材料を構成要素とする物品に関して言う場合、材料及び／又は物品を製造する製造ラインを通る材料の進む移動方向とほぼ平行の、材料に沿った方向を指す。
【００１２】
「横方向」は、パンツ及びその着用者に関して言う場合、着用者の直立高と概ね垂直の方向、又は着用者が立位のときの水平方向を指す。「横方向」は、前腰部縁部の中点から後腰部縁部の中点まで延びる線に概ね垂直の方向でもある。
【００１３】
「長手方向」は、パンツ及びその着用者に関して言う場合、着用者の直立高と概ね平行の方向、又は着用者が立位のときの縦方向を指す。「長手方向」は、前腰部縁部の中点から後腰部縁部の中点まで延びる線に概ね平行の方向でもある。
【００１４】
用語「パンツ」（「使い捨てトレーニングパンツ」、「トレーニングパンツ」及び「プルオンパンツ型おむつ」）は、幼児、子供又は成人の着用者（以降、「着用者」）のために設計された、連続的な外辺部腰部開口及び連続的な外辺部脚部開口を有する、使い捨て吸収性物品を指す。パンツは、パンツが着用者に適用される前に、連続的な又は閉じられた腰部開口と、少なくとも１つの連続的な又は閉じられた脚部開口とを有する構成である場合がある。パンツは、任意の再締結可能な及び／又は永久的なクロージャ部材（例えば、シーム、熱結合、圧力、圧力溶接、接着剤、粘着結合、機械的締結具など）を使用して吸収性物品の部分を一緒に接合することが挙げられるが、これらに限定されない任意の好適な技術で予備成形され得る。パンツは、腰部区域におけるその周辺部に沿ったどの位置でも予備成形することができる（例えば、側部を締結する、前部腰部を締結する、後部腰部を締結する）。代表的なパンツ及びパンツ構成が、米国特許第５，２４６，４３３号、同第５，５６９，２３４号、同第６，１２０，４８７号、同第６，１２０，４８９号、同第４，９４０，４６４号、同第５，０９２，８６１号、同第５，８９７，５４５号、同第５，９５７，９０８号、及び米国特許出願公開第２００３／０２３３０８２号に開示されている。
【００１５】
用語「二次腰部開口周辺部」は、初期腰部開口周辺部が破断され、パンツが再締結された後のパンツの腰部開口の周辺部を指す。
【００１６】
用語「側縁シーム」は、所定の側縁部を指し、前部腰部区域の側縁部又は側縁部に隣接した区域の一部は、後腰部区域の同じ側縁部又は側縁部に隣接した区域の一部に接合されて、閉じて取り囲まれた脚部開口及び閉じた腰部開口を規定する。
【００１７】
図１は、ベルト構成を有する使い捨て吸収性パンツ１０の概略的な簡略化した斜視図である。パンツ１０は、中央シャーシ２０及び伸縮性ベルト３０を含むことができる。伸縮性ベルト３０は、着用のしやすさ及び着用後のぴったりとした快適なフィット感のための弾性的な伸縮性を提供し、横方向に弾性的に延伸可能であり得る。中央シャーシ２０は、着用者に面する液体透過性トップシート（図１には特に示されていない）と、外側すなわち衣類に面する側のバックシート（図１には特に示されていない）と、トップシートとバックシートとの間に挟まれている又は包まれている吸収性コア（図１には特に示されていない）とを含むことができる。一対の横方向に対向する、トップシートに隣接して配設された長手方向に延在するバリアカフ２５もまた、中央シャーシとともに、中央シャーシ股部区域に含まれる場合がある。一般に、中央シャーシとバリアカフは、米国仮特許出願第６１／４８０，６６３号及びその優先権を主張する出願に記載されているようなものなどであるがこれらに限定されない、使い捨ておむつ、トレーニングパンツ、及び成人失禁パンツなどに適したレッグカフ構造物を含む任意の構成及び構成要素を有することができる。伸縮性ベルト３０は、前部３１及び後部３２を有することができる。前部３１及び後部３２は、それぞれの左側側縁シーム３３ｌ及び右側側縁シーム３３ｒで一緒に接合され得る。伸縮性ベルト３０は、パンツ１０の腰部開口１５を画定する前部腰部縁部１１及び後部腰部縁部１２、並びに左側脚部開口縁部１３ｌ及び右側脚部開口縁部１３ｒの少なくとも一部分を形成することができる。使い捨て吸収性パンツ１０、より詳細には伸縮性ベルト３０は、再締結可能な特徴を作るための締結構成要素２００ｌ及び２００ｒを備えることができる。
【００１８】
図２は、図１に示すパンツ１０の、前部３１及び後部３２がそれぞれの側縁部３４ｌ、３５ｌ及び３４ｒ、３５ｒに沿って接合される前の前駆構造物の簡略化した平面図である。前部３１を含む前部区域３１ａ、及び後部３２を含む後部区域３２ａは、それぞれ、前駆構造物の長手方向の全長の２５％〜４０％のいずれかのパーセンテージを含むことができ、したがって、股部区域４５は、前駆構造物の長手方向の全長の２０％〜５０％のいずれかのパーセンテージを含むことができ、少なくともその一部は横軸１１０に置かれる。パンツ１０を形成するために、前駆構造物を横軸１１０に沿って折り畳み、前部区域３１ａ及び後部区域３２ａ並びに前部３１及び後部３２を、（図１に示すように）それらの側縁部３４ｌ、３５ｌ及び３４ｒ、３５ｒがそれぞれ側縁シーム３３ｌ、３３ｒで接合され得るように、一緒にすることができる。図２に示す実施形態は、再締結可能なように一緒に接合され得る締結要素２０１〜２０４を備えている。具体的には、締結要素２０１及び２０３はそれぞれ、締結要素２０２及び２０４と接合するフック要素であり得る。締結要素２０１及び２０３は、伸縮性ベルト３０の外面上に示されているが、それらは伸縮性ベルト３０の内面上に配置されてもよい。締結要素２０２及び２０４は、別個のループ要素部材でもよく、あるいは、伸縮性ベルトの（図のように）内面又は外面を裏張りする不織布シートの一部であるループ要素の区域であってもよい。別の実施形態では、締結要素２０１及び２０３がループ要素であり、締結要素２０２及び２０４がフック要素である場合がある。
【００１９】
締結要素２０１〜２０４が伸縮性ベルト３０の内面同士を結合させると、フランジシームが形成されることが理解される。しかし、締結要素２０１〜２０４が伸縮性ベルト３０の内面と外面とを結合させると、図１に示すようなオーバーラップシームが形成される。締結要素２０１〜２０４、第１締結要素２０２及び第２締結要素２０４、並びに第１結合締結要素２０１及び第２結合締結要素２０３は、製造プロセス中に締結されてもよく、並びに／又は、着用者若しくは介護者による使用の前にパッケージ内で締結されていてもよい（すなわち、パンツを「閉じた形態」で販売することができる）。あるいは、パンツを「開いた形態」で販売してもよく、この場合、締結要素２０１〜２０４はパッケージ内に存在しているが接合されていない。
【００２０】
引き続き図２を参照すると、前部３１及び後部３２の一方又は両方は、腰部縁部１１、１２により近い位置に配設された少なくとも１つの第１弾性部材３６、３７、及び脚開口縁部１３ｌ、１３ｒにより近い位置に配設された少なくとも１つの第２弾性部材３８、３９を含むことができる。図２に示唆されているように、１つ又は複数の腰部弾性部材３６、３７は、実質的に真っ直ぐに横方向の配向で配設され得、１つ又は複数の脚弾性部材３８、３９は、（図１に示すように）脚開口１３ｌ、１３ｒの周囲に輪状の弾性伸縮を提供するように曲線経路に沿って配設され得る。以下に説明するように、整った外観を有するパンツを製造するためには、脚弾性部材３８、３９はシャーシ２０のそれぞれ対応する長手方向縁部２１に近接して終わることが望ましい場合がある。本明細書の目的のためには、２つの特徴の間の位置関係の説明のために使用する場合、「近接」は、特定の特徴から２．０ｃｍ以内であることを意味することが意図される。
【００２１】
弾性部材３６、３７、３８及び３９は、例えば、同時係属の米国特許出願第１１／４７８，３８６号及び同第１３／３３１，６９５号、並びに米国特許第６，６２６，８７９号に記載されているような任意のエラストマー材料の任意の構成において形成された、フィルム又はその部分若しくは片、円形又は任意の他の断面の片、リボン、バンド、スクリム、弾性不織布、又はストランドの形態であり得る。好適な例は、カンザス州ＷｉｃｈｉｔａのＩｎｖｉｓｔａの製品であるＬＹＣＲＡ  ＨＹＦＩＴストランドである。
【００２２】
図３Ａ〜３Ｃは、図２に示すようなパンツの伸縮性ベルトの後部３２及び後部区域を通る線３−３で取られる潜在的な長手方向の断面図の例であり、３つの可能な構成の特徴を図示している。これらの特定の例のそれぞれにおいて、この断面は伸縮性ベルトの前部３１及びパンツの前部区域を通じて取られる断面の実質的に鏡像であり得ることが理解できる。
【００２３】
図４Ａは、図２に示すようなパンツの伸縮性ベルトの後部３２及び後部区域を通る線４−４で取られる潜在的な長手方向の断面図の例であり、一構成の特徴を図示している。この断面もまた、伸縮性ベルトの前部３１及びパンツの前部区域を通じて取られる断面の実質的に鏡像であり得ることが理解できる。図４Ａに示す伸縮性ベルト３０は、図３Ａに図示したものと同じ層及び構成要素を有するが、断面の場所のために、脚部弾性部材３９が追加され、シャーシ構成要素が除かれている。図２に示唆されているように、脚部弾性部材３９は中央シャーシ２０の長手方向縁部２１に近接して終わることができ、したがって、図３Ａ及び３Ｂには図示されない。
【００２４】
図３Ａ〜３Ｃを参照すると、シャーシ２０は、内側の、着用者に面する表面の少なくとも一部を形成する液体透過性のトップシート２２を有することができる。トップシート２２は、好ましくは過敏な肌に対して柔らかく適合性のある不織布ウェブ材料で形成することができ、例えば、同時係属中の米国特許出願第１２／８４１，５５３号に記載されているものが含まれる、使い捨ておむつ、トレーニングパンツ、及びインサートに使用されているトップシートの任意の特徴を有して形成することができる。シャーシ２０は、液体不透過性であり得る外側に面するバックシート２４もまた有することができる。バックシート２４は、例えば参照した上記の同時継続中の米国特許出願に記載されているものが含まれる、使い捨ておむつ及びトレーニングパンツに使用されるバックシートの任意の特徴を有して形成することができる。シャーシ２０は、トップシート２２とバックシート２４との間に配設された吸収性コア２３もまた有することができる。吸収性コア２３は、獲得、分配、及び貯蔵のための１つ以上の吸収性の材料層及び／又は構成要素を含むことができ、例えば参照した上記の同時継続中の米国特許出願に記載されているものが含まれる、使い捨ておむつ及びトレーニングパンツに使用される吸収性コアの任意の特徴を有して形成することができる。
【００２５】
図３Ａ〜３Ｃに示唆されているように、シャーシ２０は、伸縮性ベルト３０、その内側の着用者に面する表面、あるいはその外側の衣類に面する表面に貼付することができる。シャーシ２０は、接着剤、熱結合／溶接、機械的締結具、又はそれらの組み合わせにより、伸縮性ベルト３０に接合することができる。
【００２６】
図３Ａ及び４Ａを参照すると、伸縮性ベルト３０は、適した不織布ウェブ材料で形成することができる第１ベルト層４０を有することができる。第１ベルト層は着用者の皮膚と直接的に接触する場合があるので、この層には、柔らかく快適でかつ比較的通気性／蒸気透過性の不織布ウェブ材料を選択することが好ましいとみなされる場合がある。１つ以上の腰部弾性部材３７を第１ベルト層４０と第２ベルト層４１との間に配設することができる。第２ベルト層４１は、第１ベルト層４０と同じ不織布ウェブ材料、類似の不織布ウェブ材料、又は異なる不織布ウェブ材料で形成し得る。第１ベルト層４０と第２ベルト層４１が積層体を形成し、１つ以上の腰部弾性部材３７をそれらの間に挟んで貼付するように、第１ベルト層４０と第２ベルト層４１とを、接着剤、熱接着パターン、又はそれらの組み合わせで一緒に接着することができる。同様に、図４Ａを参照すると、１つ以上の脚部弾性部材３９を第１ベルト層４０と第２ベルト層４１との間に貼付し、挟むことができる。代替実施形態では、ベルト層４１がベルト層４０と外側被覆層４２との間に配設されるとき、ベルト層４１を、エラストマー不織布のようなエラストマーウェブ材料又は弾性フィルムで形成することができる。エラストマーウェブ材料で形成したとき、ベルト層４１に予め歪みを与えてからベルト層４１を物品の他の層に接合してもよく、あるいは、弛緩した状態でベルト層４１を接合してから後に機械的に歪みを与えてもよい。そのような代替実施形態では、１つ以上の腰部弾性部材及び１つ以上の脚部弾性部材をベルト層の間に配設することができる。代替的な弾性部材の配置を図４ａ〜４ｋに示す。
【００２７】
図８及び９を参照すると、製造中、１つ以上の腰部弾性部材３７を、例えば第１ベルト層４０及び第２ベルト層４１のような層の間に貼付する前に、それらの長さ又はより長い寸法の方向に沿ってそれらに予め歪みを与えることができ、そのようにすると、製造完了時及びその後の弛緩時に、弾性部材３７の収縮によって、第１ベルト層４０及び第２ベルト層４１にしわのパターン、プリーツ、波形又は多量のしわ（以下、「シャーリング」と呼ぶ）４３が生じることになる。シャーリング４３は、弾性部材が収縮するにつれて弾性部材の周囲にギャザーを作るような材料で形成され、ギャザーが作られた材料は、伸縮性ベルト３０の延伸及び収縮に対応するように機能する。シャーリング４３は、弾性部材３７の横方向の収縮の方向に対してほぼ横断方向又は垂直の折り線又は曲げ線に沿って配向される。シャーリングはまた、不織布材料により形成されたときに、フックのような締結構成要素をベルト層の１つに係合しやすくすることができる三次元の表面を提供することも可能である。あるいは、締結構成要素２００の取り付け区域（例えばループを含む区域）又は締結区域（例えばフックを含む区域）におけるシャーリング及び収縮を排除することが有益である場合がある。
【００２８】
同様に、１つ以上の脚部弾性部材３９を層の間に貼付する前に、それらを製造中にそれらの配置経路（上述のように曲線経路であり得る）に沿ってそれらに予め歪みを与えてもよく、そのようにすると、製造完了時及びその後の弛緩時に、弾性部材３９の収縮によって、第１ベルト層４０及び第２ベルト層４１にシャーリングのパターンが生じることになる。これらのシャーリングもまた、弾性部材が収縮するにつれて弾性部材の周囲にギャザーを作る材料で形成され、脚開口の周囲の伸縮性ベルト３０の延伸及び収縮に対応するように機能する。シャーリングは、弾性部材３９の収縮の方向に対してほぼ横断方向又は垂直の折り線又はしわ線に沿って配向される。
【００２９】
引き続き図８及び９を参照すると、弾性部材３７、３９の弛緩及び収縮の際に形成されるシャーリングがいくらか均一に、均等に分配され、整った外観になるように、規則的パターン及び／又は間隔で接着剤の堆積のパターンを層４０、４１のいずれかに及び／又は弾性部材３７、３９に適用して、接着部４４にて弾性部材３７に層を接着することができる。シャーリングの頻度及び大きさもまた、弾性材のベルト層への取り付け若しくはベルト層同士の取り付けのパターン又はそれらの組み合わせを調整することにより、調整することができる。シャーリングの頻度及び大きさは、締結構成要素２００と機能的に連動するように調整することができ、例えば、より細かいシャーリングは、より小さいフック又はより密なパターンのフック型式の締結構成要素とより効果的に連動することができ、一方、より大きいシャーリングは、より大きいフック又はより密度の低いパターンのフック型式の締結構成要素とより効果的に連動することができる。
【００３０】
異なる伸縮及び力の特性を付与するために、弾性部材３６、３７、３８及び３９のうちの１つ以上は、その他のうちの１つ以上と様々に異なっていてもよい。例えば、特定の設計状況により異なる脚部開口周囲のぴったりとした着心地のために、着用中、曲線状の脚部弾性部材が、腰部開口の周囲に存在する張力より大きい又は小さい張力を脚部開口の周囲に及ぼすことが望ましい場合がある。弾性部材３６、３７、３８、３９のうちの１つ以上は、弾性ストランド又はバンドの数、弾性ストランド又はバンドの断面の大きさ、弾性ストランド又はバンドの断面形状、弾性ストランド又はバンドを形成する材料の化学組成、パンツの製造中に弾性ストランド又はバンドに付与される予歪みの量、及びそれらの組み合わせから選択される事に関して、その他のうちの１つ以上と異なるように、選択される及び／又は構成される場合がある。
【００３１】
腰部弾性部材３６、３７及び曲線状の脚部弾性部材３８、３９の他に、追加の弾性部材（図示せず）をそれらの間に長手方向に含めて、追加の伸縮性、収縮性、及び荷重／力支持能力を伸縮性ベルトに、腰部及び脚部弾性部材がそのような能力を付与するのと同じやり方で付与することができる。追加の弾性部材は、弾性部材３６、３７、３８、３９のいずれかと同じ対の層の間に配設してもよく、又は異なる対の層の間に配設してもよく、上述のように、異なる対の層の間の交互の場所に配置してもよい。１つ以上の弾性部材が湾曲している又は斜めになっている特定の実施形態では、弾性部材の角度又は湾曲と機能的に連動するように締結構成要素を斜めにすることが有益である場合がある。
【００３２】
上述のいくつかの例、及び明示的に記載していない他の例もまた、比較的効率的な製造に役立つことが可能である故に、有利である場合がある。
【００３３】
図１１を参照すると、一実施形態では、締結要素２０１〜２０４は、脚部開口１４及び腰部開口１５をそれぞれ形成するように接合されたとき、締結構成要素２００を利用しやすくするようにパンツ１０の前部区域３１ａ内に配設又は形成することができる。締結要素を接合し、脚部開口及び腰部開口を形成したとき、前部区域３１ａは、各臀部軸２０６（着用したときの着用者の臀部の中央を表す軸）よりも前方のパンツ１０の区域であるとみなすことができる。ループ型式の締結要素２０１及び２０３は、第１フック型式の締結要素２０２及び２０４を締結することができる前部区域３１ａの上に単に配設されてもよく、又は、その一部を形成してもよいことに注意されたい。接合されたときに締結構成要素２００が前部区域３１ａに置かれるように、締結構成要素２００を配向することによって締結構成要素２００を利用しやすくすることは、介護者がパンツ１０の開放及び再締結をするのを大幅に容易にすることができ、前部腰部区域を前部区域３１ａに締結することを可能にし、着用者が介護者の前に立っているとき（例えば、対面しているとき）、又は着用者が仰向けに寝ているときに、介護者がパンツ１０を交換するプロセス、又はパンツ１０を点検するプロセスをより容易にすることができる。加えて、パンツ１０又はおむつの前部区域３１ａの締結構成要素２００の締結はまた、これがテープ式おむつと似ているために、介護者にとって馴染み深いものである。
【００３４】
パンツを開放及び再締結する能力は、介護者に利便性を提供する。例えば、外出時、又は着用者の衣類及び／若しくは靴を脱がせるのが難しいときは、従来的なテープ式おむつとしてパンツを適用する方がより便利である場合がある。着用者がいつ交換を必要とするか、したがっていつ特定の様式の適用が必要とされるかを予測することは困難であるため、従来的なテープ式おむつとして、又は使い捨てトレーニングパンツとしてのいずれかで適用されるように適合可能であるパンツを提供することが有益である。加えて、従来的なテープ式おむつ又は使い捨てトレーニングパンツのように適用され得る製品はまた、製品を着用者の脚の下に滑らせることを必要とせずに、製品の内側を点検することを可能にする。本開示のパンツは、適用及び取り外しに関する二重機能を提供する一方で、使用したパンツを容易に包み、処分することを可能にする。
【００３５】
様々な実施形態において、各締結構成要素２００を、例えば接着剤接着、音波接着、圧力接着、熱接着、又はそれらの組み合わせなどの任意の好適な方法により、パンツ１０に直接的に又は間接的に接合することができる。締結システム及び／又は締結構成要素２００のいくつかの好適な例は、米国特許第３，８４８，５９４号、同第４，６６２，８７５号、同第４，８４６，８１５号、同第４，８９４，０６０号、同第４，９４６，５２７号、同第５，１５１，０９２号、同第５，２２１，２７４号、同第６，２５１，０９７号、同第６，６６９，６１８号、同第６，４３２，０９８号、同第７，１０１，３５９号、及び同第７，４０７，４６８号に記載されている。
【００３６】
図１２は、２つの物品を長手方向軸（例えば図２及び７の１１０）上で折り畳んで形成したパンツ（パンツの片側１０−１及び片側１０−２）の構成を図示しており、図には、パンツの各片側の一部のみが示されている。本開示の一実施形態にすぎないこの実施形態では、パンツの各片側１０−１及び１０−２はそれぞれ、前部区域３１ａ及び後部区域３２ａに配設された前部伸縮性ベルト３０ａ及び後部伸縮性ベルト３０ｂを備えている。また、パンツの各片側１０−１及び１０−２は、後部ベルト３０ｂを備えており、この後部ベルト３０ｂは、第１側縁部３５ｒ及び３５ｌそれぞれから、横方向に対向する第２側縁部（図示せず）まで延在し、横方向に対向する永久側縁シーム２０８の部分を形成する。また、パンツの各片側１０−１及び１０−２に関して、前部ベルト３０ａは、第１側縁部３４ｒ及び３４ｌの隣接部それぞれから、対向する第２側縁部（図示せず）の隣接区域まで延在し、横方向に対向する永久側縁シーム２０８の一部を形成しない。パンツの片側１０−１及び１０−２は、前部ベルト３０ａの外方に配設された締結タブ部材２１０を更に備えている。締結タブ部材２１０は、締結タブ部材２１０と前部ベルト３０ａとの間に配設され、前部伸縮性ベルト３０ａと再締結可能に係合する締結タブ部材２１０の内面に配設された第１締結要素２０２及び第２締結要素２０４を備えている。締結タブ部材２１０は永久側縁シーム２０８の一部を形成しており、側縁シーム２０８にて後部ベルト３０ｂに接合される。
【００３７】
図１２の実施形態と異なるが関係のある本開示の代替実施形態（図示せず）において、前部ベルトは物品の第１側縁部から、横方向に対向する、物品の第２側縁部まで延在し、横方向に対向する永久側縁シームの一部を形成する。後部ベルトは物品の第１側縁部の隣接部から、横方向に対向する、物品の第２側縁部に隣接する区域まで延在し、横方向に対向する永久側縁シームの一部を形成しない。それらの物品は、後部ベルトから外方に配設された締結タブ部材を更に備えている。締結タブ部材は、締結タブ部材と後部ベルトとの間で、締結タブ部材の内面に配設され、後部伸縮性ベルトと再締結可能に係合する第１締結要素を備えている。締結タブ部材は、永久側縁シームの一部を形成し、側縁シームにて前部ベルトに接合される。締結構成要素は、後部伸縮性ベルトの一部として（すなわち一体式に）形成されるか、又は後部伸縮性ベルトに配設される第２締結要素を備えることができる。
【００３８】
図１３は、２つの物品を長手方向軸（例えば図２及び７の１１０）上で折り畳んで形成したパンツ（パンツの片側１０−１及び片側１０−２）の構成を図示しており、図には、パンツの各片側の一部のみが示されている。本開示の一実施形態にすぎないこの実施形態では、パンツの各片側１０−１及び１０−２はそれぞれ、前部腰部区域３１ａ及び後部腰部区域３２ａに配設された前部伸縮性ベルト３０ａ及び後部伸縮性ベルト３０ｂを備えている。また、パンツの各片側１０−１及び１０−２は後部ベルト３０ｂを備えており、この後部ベルト３０ｂは、第１側縁部３５ｒ及び３５ｌそれぞれから、横方向に対向する第２側縁部（図示せず）まで延在し、横方向に対向する永久側縁シーム２０８の部分を形成する。また、パンツの各片側１０−１及び１０−２に関して、前部ベルト３０ａは、第１側縁部３４ｒ及び３４ｌの隣接部それぞれから、対向する第２側縁部（図示せず）の隣接区域まで延在し、横方向に対向する永久側縁シーム２０８の一部もまた形成する。パンツの片側１０−１及び１０−２は、前部ベルト３０ａの外方に配設された締結タブ部材２１０を更に備えている。締結タブ部材２１０は、締結タブ部材２１０と前部ベルト３０ａとの間に配設され、前部伸縮性ベルト３０ａと再締結可能に係合する締結タブ部材２１０の内面に配設された第１締結要素２０２及び第２締結要素２０４を備えている。締結タブ部材２１０は永久側縁シーム２０８の一部を形成しており、側縁シーム２０８にて後部ベルト３０ｂに接合される。この実施形態は、側縁シーム３４ｒ及び３４ｌと第１締結要素２０４及び２０２との間に配設された引き裂き線２１２もまた備えている。物品を開くには、ユーザーは最初に第１締結要素（例えば２０４）を第２締結要素（例えば２０３）から解放し、次いで、引き裂き線２１２に沿って前部ベルト３０ａを引き離す。再締結するには、ユーザーは単に第１締結要素（例えば２０２）を前部領域３１ａの第２締結要素（例えば２０１）と再締結する。
【００３９】
図１３の実施形態と異なるが関係のある本開示の代替実施形態（図示せず）では、吸収性物品は、物品の前部区域及び後部区域にそれぞれ配設された前部伸縮性ベルト及び後部伸縮性ベルトを備えている。後部ベルトは、物品の第１側縁部から、横方向に対向する、物品の第２側縁部まで延在し、横方向に対向する永久側縁シームの部分を形成する。前部ベルトは、物品の第１側縁部から、横方向に対向する、物品の第２側縁部まで延在し、横方向に対向する永久側縁シームを部分を形成する。それらの物品は、後部ベルトから外方に配設された締結タブ部材を更に備えている。締結タブ部材は第１締結要素を備え、この第１締結要素は、締結タブ部材と後部ベルトとの間に配設され、第２締結要素又は後部伸縮性ベルトと再締結可能に係合する締結タブ部材の内面に配設される。締結タブ部材は、永久側縁シームの部分を形成し、側縁シームにて前部ベルト及び後部ベルトに接合される。締結構成要素は、後部伸縮性ベルトに形成又は配設される第２締結要素を備えることができる。この実施形態は、側縁シームと第１締結要素との間に配設された引き裂き線（基材に設計上組み込まれた穿孔又は脆弱部の形態であり得る）もまた備えている。物品を開くには、ユーザーは最初に第１締結要素を第２締結要素から解放し、次いで、引き裂き線に沿って後部ベルトを引き離す。再締結するには、ユーザーは単に第１締結要素を後部区域の第２締結要素に再締結する。
【００４０】
図１４は、２つの物品を長手方向軸（例えば図２及び７の１１０）上で折り畳んで形成したパンツ（パンツの片側１０−１及び片側１０−２）の構成を図示しており、図には、パンツの各片側の一部のみが示されている。本開示の一実施形態にすぎないこの実施形態では、パンツの各片側１０−１及び１０−２はそれぞれ、物品１０の前部区域３１ａ及び後部区域３２ａに配設された前部伸縮性ベルト３０ａ及び後部伸縮性ベルト３０ｂを備えている。また、パンツの各片側１０−１及び１０−２は、後部ベルト３０ｂを備えており、この後部ベルト３０ｂは、第１側縁部３５ｒ及び３５ｌそれぞれから、横方向に対向する第２側縁部（図示せず）まで延在し、横方向に対向する永久側縁シーム２０８の部分を形成する。また、パンツの各片側１０−１及び１０−２に関して、前部ベルト３０ａは、第１側縁部３４ｒ及び３４ｌの隣接部それぞれから、対向する第２側縁部（図示せず）の隣接区域まで延在し、横方向に対向する永久側縁シーム２０８の一部を形成しない。パンツの片側１０−１及び１０−２は締結タブ部材２１０を更に備え、締結タブ部材２１０は、前部ベルト３０ａと後部ベルト３０ｂとの間に置かれるように、前部ベルト３０ａの内方であるが後部ベルト３０ｂの外方に配設される。締結タブ部材２１０は、締結タブ部材２１０と前部ベルト３０ａとの間に配設され、前部伸縮性ベルト３０ａと再締結可能に係合する締結タブ部材２１０の外面に配設された第１締結要素２０２及び第２締結要素２０４を備えている。締結タブ部材２１０は永久側縁シーム２０８の一部を形成しており、側縁シーム２０８にて後部ベルト３０ｂに接合される。
【００４１】
図１４の実施形態と異なるが関係のある本開示の代替実施形態（図示せず）では、吸収性物品は、物品の前部区域及び後部区域にそれぞれ配設された前部伸縮性ベルト及び後部伸縮性ベルトを備えている。前部ベルトは、物品の第１側縁部から、横方向に対向する、物品の第２側縁部まで延在し、横方向に対向する永久側縁シームの部分を形成する。後部ベルトは、物品の第１側縁部から、横方向に対向する、物品の第２側縁部まで延在するが、横方向に対向する永久側縁シーム部分を形成しない。それらの物品は、後部ベルトの内方に配設された締結タブ部材を更に備えている。締結タブ部材は、締結タブ部材と後部ベルトとの間に配設された締結タブ部材の外面に配設され、前部伸縮性ベルトと再締結可能に係合する第１締結要素を備えている。締結タブ部材は、永久側縁シームの部分を形成し、永久側縁シームにて前部ベルトに接合される。締結構成要素は、後部伸縮性ベルトに形成又は配設される第２締結要素を備えることができる。
【００４２】
図１５は、２つの物品を長手方向軸（例えば図２及び７の１１０）上で折り畳んで形成したパンツ（パンツの片側１０−１及び片側１０−２）の構成を図示しており、図には、パンツの各片側の一部のみが示されている。本開示の一実施形態にすぎないこの実施形態では、パンツの各片側１０−１及び１０−２はそれぞれ、前部区域３１ａ及び後部区域３２ａに配設された前部伸縮性ベルト３０ａ及び後部伸縮性ベルト３０ｂを備えている。また、パンツの各片側１０−１及び１０−２は、後部ベルト３０ｂを備えており、この後部ベルト３０ｂは、第１側縁部３５ｒ及び３５ｌそれぞれから、横方向に対向する第２側縁部（図示せず）まで延在するが、横方向に対向する永久側縁シーム２０８の部分を形成しない。また、パンツの各片側１０−１及び１０−２に関して、前部ベルト３０ａは、第１側縁部３４ｒ及び３４ｌの隣接部それぞれから、対向する第２側縁部（図示せず）の隣接区域まで延在するが、横方向に対向する永久側縁シーム２０８の一部を形成しない。パンツ１０−１及び１０−２は、前部ベルト３０ａと後部ベルト３０ｂとの間に配設された締結タブ部材２１０及び２１０’を更に備えている。締結タブ部材２１０及び２１０’は、締結タブ部材２１０及び２１０’と前部ベルト３０ａ及び後部ベルト３０ｂとの間に配設される第１締結要素２０２、２０２’及び第２締結要素２０４、２０４’を備えている。第１タブ部材２１０及び２１０’は、永久側縁シーム２０８の部分を形成するが、側縁シーム２０８で前部ベルト３０ａ及び後部ベルト３０ｂに接合されない。締結構成要素２００は、それぞれの伸縮性ベルトに形成又は配設された第２締結要素２０１、２０３及び２０１’、２０３’を備えることができる。第１締結要素２０２、２０４及び２０２’、２０４’と第２締結要素２０１、２０３及び２０１’、２０３’は、再締結可能に接続することができる。
【００４３】
図１６は、２つの物品を長手方向軸（例えば図２及び７の１１０）上で折り畳んで形成したパンツ（パンツの片側１０−１及び片側１０−２）の構成を図示しており、図には、パンツの各片側の一部のみが示されている。本開示の一実施形態にすぎないこの実施形態では、パンツの各片側１０−１及び１０−２はそれぞれ、前部区域３１ａ及び後部区域３２ａに配設された前部伸縮性ベルト３０ａ及び後部伸縮性ベルト３０ｂを備えている。また、パンツの各片側１０−１及び１０−２は、後部ベルト３０ｂを備えており、この後部ベルト３０ｂは、第１側縁部３５ｒ及び３５ｌそれぞれから、横方向に対向する第２側縁部（図示せず）まで延在し、横方向に対向する永久側縁シーム２０８の部分を形成する。また、パンツの各片側１０−１及び１０−２に関して、前部ベルト３０ａは、第１側縁部３４ｒ及び３４ｌの隣接部それぞれから、対向する第２側縁部（図示せず）の隣接区域まで延在し、横方向に対向する永久側縁シーム２０８の一部を形成しない。この実施形態では、第１側縁部３４ｒ及び３４ｌは、締結要素２０２及び２０４の隣接した縁部である。物品は、永久サイドシーム２０８の部分を形成する後部ベルト３０ｂの内方に配設され、後部ベルト３０ｂに取り付けられた締結タブ部材２１０を更に備えている。物品は、前部ベルト３０ａの内面に配設され、締結タブ部材２１０と前部ベルト３０ａのと間に配設され、かつ締結タブ部材２１０と再締結可能に係合する第１締結要素もまた備えている。締結構成要素２００は、締結タブ部材２１０に形成又は配設された第２締結要素２０１及び２０３を備えることができる。
【００４４】
図１６の実施形態と異なるが関係のある本開示の代替実施形態（図示せず）では、吸収性物品は、物品の前部区域及び後部区域にそれぞれ配設された前部伸縮性ベルト及び後部伸縮性ベルトを備えている。前部ベルトは、物品の第１側縁部から、横方向に対向する、物品の第２側縁部まで延在し、横方向に対向する永久側縁シームの部分を形成する。後部ベルトは、物品の第１側縁部の隣接部から、横方向に対向する、物品の第２側縁部の隣接部まで延在するが、横方向に対向する永久側縁シームの部分を形成しない。物品は、永久側縁シームの前部ベルト形成部分の内方に配設され、永久側縁シームの前部ベルト形成部分に取り付けられた締結タブ部材を更に備えている。物品は、後部ベルトの内面に配設され、締結タブ部材と後部ベルトとの間に配設され、かつ締結タブ部材と再締結可能に係合する第１締結要素もまた備えている。締結構成要素は、締結タブ部材に形成又は配設される第２締結要素を備えることができる。
【００４５】
図１７は、２つの物品を長手方向軸（例えば図２及び７の１１０）上で折り畳んで形成したパンツ（パンツの片側１０−１及び片側１０−２）の構成を図示しており、図には、パンツの各片側の一部のみが示されている。本開示の一実施形態にすぎないこの実施形態では、パンツの各片側１０−１及び１０−２はそれぞれ、前部区域３１ａ及び後部区域３２ａに配設された前部伸縮性ベルト３０ａ及び後部伸縮性ベルト３０ｂを備えている。また、パンツの各片側１０−１及び１０−２は後部ベルト３０ｂを備えており、この後部ベルト３０ｂは、第１側縁部３５ｒ及び３５ｌそれぞれから、横方向に対向する第２側縁部（図示せず）まで延在し、横方向に対向する永久側縁シーム２０８の部分を形成する。また、パンツの各片側１０−１及び１０−２に関して、前部ベルト３０ａは、第１側縁部３４ｒ及び３４ｌの隣接部それぞれから、対向する第２側縁部（図示せず）の隣接区域まで延在し、横方向に対向する永久側縁シーム２０８の一部を形成しない。この実施形態では、第１側縁部３４ｒ及び３４ｌは離間配置され、互いに隣接している。物品は、永久サイドシーム２０８の部分を形成する後部ベルト３０ｂの内方に配設され、その後部ベルト３０ｂに取り付けられた締結タブ部材２１０を更に備えている。物品は、前部ベルト３０ａの内面に配設され、締結タブ部材２１０と前部ベルト３０ａとの間に配設され、かつ締結タブ部材２１０と再締結可能に係合する第１締結要素もまた備えている。締結構成要素２００は、締結タブ部材２１０に形成又は配設された第２締結要素２０１及び２０３を備えることができる。
【００４６】
図１７の実施形態と異なるが関係のある本開示の代替実施形態（図示せず）では、吸収性物品は、物品の前部区域及び後部区域にそれぞれ配設された前部伸縮性ベルト及び後部伸縮性ベルトを備えている。前部ベルトは、物品の第１側縁部から、横方向に対向する、物品の第２側縁部まで延在し、横方向に対向する永久側縁シームの部分を形成する。後部ベルトは、物品の第１側縁部から、横方向に対向する、物品の第２側縁部まで延在するが、横方向に対向する永久側縁シームの一部を形成しない。物品は、永久側縁シームの部分を形成する前部ベルトの内方に配設され、その前部ベルトに取り付けられた締結タブ部材を更に備えている。物品は、後部ベルトの内面に配設され、締結タブ部材と後部ベルトとの間に配設された第１締結要素もまた備え、それらは、締結タブ部材と再締結可能に係合する。締結構成要素は、締結タブ部材に形成又は配設される第２締結要素を備えることができる。
【００４７】
図１２〜１７に図示した実施形態、及び開示されたこれらの図の代替実施形態のそれぞれに関して、ベルト３０ａ及び３０ｂは、本明細書で上記に開示した図３Ａ〜４Ｋに従って、並びに２０１２年５月１５日に出願されたＵＳ６１／６４６，９９９号の開示に従って、形成することができると理解されたい。更に、図５Ａ〜８に開示された理論を採用することができ、したがって図９〜１０Ｃに開示されたテクスチャーを享受することができる。米国特許出願第６１／６４７０６１号、同第６１／６４７０７１号、同第６１／６４７０７８号（それぞれ、２０１２年５月１５日出願）に開示されているような更なる製造方法及び得られるテクスチャーを使用することもまた可能である。また、ベルト弾性材の応力、歪み、及び間隔は、２０１２年２月１３日出願の米国特許出願第６１／５９８，０１２号の開示により行うことができる。
【００４８】
また、図１２〜１７に図示した実施形態、及び開示されたこれらの図の開示された代替実施形態のそれぞれに関して、これらの物品が、２０１２年４月２７日出願の米国特許出願第１３／４５７，５２１号に開示されているカフを備え得ること、及び米国特許出願第６１／６４６，９５３号及び同第６１／６４６，９７９号（それぞれ２０１２年５月１５日出願）による図柄を有し得ることを理解されたい。また、図１２〜１７に図示した実施形態、及び開示されたこれらの図の代替実施形態のそれぞれは、それらの単純性のために、毎分１０００物品まで及びそれ以上の高い製造速度での生産に特に適しており、したがって、それらの実施形態のそれぞれに開示した再締結可能なパンツのシーム接合及び形成のために、米国特許第６，２４８，１９５号、並びに米国特許出願第１２／７９５０２１号、同第１３／４０１９０７号、及び同第１３／４０２０５６号に開示されているホットエアシーム接合プロセス及び物品形成プロセスを使用することが望ましい場合がある。弾性要素を含む物品要素の大半は、機械方向において連続的に形成される。加えて、そのようなプロセスは、再締結可能な要素をこれらの連続した機械方向の下位構造物に高速で取り入れ、接着する一方で、正確な配置を維持し、製品の機能性及び外観にとって重要な完全性を確保することを可能にする。
【００４９】
加工に関しては、図１２〜１７に図示した実施形態及びこれらの図の開示された代替実施形態のそれぞれは、締結タブ部材及び／又は締結タブ要素を折り畳む必要がないという利点を提供する。また、これらの実施形態は永久サイドシームを提供するので、より薄い材料を締結構成要素に使用することが可能である。更に、設計の単純性は、締結タブ部材を含む締結構成要素にエラストマー材料を使用することさえも可能にする。
【００５０】
本明細書で引用するあらゆる特許及び特許出願（明細書に記載されている特許も含む）は、本明細書と矛盾しない範囲で本明細書に参考として組み入れられる。
【００５１】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示された寸法は、「約４０ｍｍ」を意味することを意図する。「本発明の詳細な説明」で引用したすべての文献は、関連部分において、参照により本明細書に組み込まれ、いかなる文献の引用も、本開示に対する先行技術であることを認めるものと解釈されるべきではない。本明細書中の用語の任意の意味又は定義が、参照により組み込まれた文献中の同一用語の任意の意味又は定義と相反する限りにおいては、本明細書においてその用語に与えられた意味又は定義を適用する。
【００５２】
本開示の特定の実施形態について説明し記載したが、本発明の趣旨及び範囲から逸脱することなく他の様々な変更及び修正が可能であることは当業者には明白であろう。したがって、本発明の範囲は付属の請求項及びその同等物によってのみ限定されるものと意図される。
【図１】
2015520005.tif 000003
【図２】
2015520005.tif 000004
【図３Ａ】
2015520005.tif 000005
【図３Ｂ】
2015520005.tif 000006
【図３Ｃ】
2015520005.tif 000007
【図４Ａ】
2015520005.tif 000008
【図４Ｂ】
2015520005.tif 000009
【図４Ｃ】
2015520005.tif 000010
【図４Ｄ】
2015520005.tif 000011
【図４Ｅ】
2015520005.tif 000012
【図４Ｆ】
2015520005.tif 000013
【図４Ｇ】
2015520005.tif 000014
【図４Ｈ】
2015520005.tif 000015
【図４Ｉ】
2015520005.tif 000016
【図４Ｊ】
2015520005.tif 000017
【図４Ｋ】
2015520005.tif 000018
【図５Ａ】
2015520005.tif 000019
【図５Ｂ】
2015520005.tif 000020
【図６Ａ】
2015520005.tif 000021
【図６Ｂ】
2015520005.tif 000022
【図６Ｃ】
2015520005.tif 000023
【図６Ｄ】
2015520005.tif 000024
【図６Ｅ】
2015520005.tif 000025
【図７】
2015520005.tif 000026
【図８】
2015520005.tif 000027
【図９】
2015520005.tif 000028
【図１０Ａ】
2015520005.tif 000029
【図１０Ｂ】
2015520005.tif 000030
【図１０Ｃ】
2015520005.tif 000031
【図１１】
2015520005.tif 000032
【図１２】
2015520005.tif 000033
【図１３】
2015520005.tif 000034
【図１４】
2015520005.tif 000035
【図１５】
2015520005.tif 000036
【図１６】
2015520005.tif 000037
【図１７】
2015520005.tif 000038
【国際調査報告】
2015520005.tif 000039
2015520005.tif 000040
2015520005.tif 000041